(57)【要約】      （修正有）【課題】水産養殖と配合して使用することができる補虫及び湿気集めの両用養殖サポート装置を提供する。【解決手段】枠１と、誘虫装置２と、霧収集装置３とを有し、当該枠１は縦方向に養殖池の上に架設することができ、且つ収納空間１０及び運用空間２０を有し、当該誘虫装置２は誘虫部件２１と、制御部件２２と、誘虫ランプとを有し、当該誘虫部件２１は第一軸２１１と、透光性布２１２とを有し、当該制御部件２２で当該透光性布２１２を展開して補虫面にすることが制御できるようになり、当該透光性布２１２が展開された場合に当該誘虫ランプは当該運用空間２０の内部から外に発光するようになり、当該霧収集装置３は霧収集部件３１と、操作部件３２とを有し、当該霧収集部件３１は第二軸３１１と、霧収集網３１２とを有し、当該操作部件３２で霧収集網３１２を展開して水を収集するための霧収集面になる。【選択図】図２
0003209544.tif 000002
【実用新案登録請求の範囲】
【請求項１】
養殖池に応用されることができる養殖サポート装置であり、
当該養殖サポート装置は枠と、誘虫装置と、霧収集装置とを有し、
当該枠が縦方向に当該養殖池の上に架設され、且つ上から下までに収納空間及び運用空間が形成され、
当該誘虫装置は誘虫部件と、制御部件と、誘虫ランプとを有し、当該誘虫部件は当該収納空間の一側内に設けられる第一軸と、当該第一軸に巻かれる透光性布とを有し、当該透光性布はさらに当該第一軸と連接する布の固定端と、当該運用空間の一側に垂設される布の自由端とを有し、当該制御部件が当該第一軸を回転させて動かせるように当該枠の一側に設けられることで、当該布の自由端が当該運用空間の底側に移動されて当該透光性布が展開されて補虫面になることが制御できるようになり、そして当該誘虫ランプが当該運用空間内に懸掛され、当該誘虫ランプの一端が当該枠と連接されることで、当該透光性布が展開された場合に当該誘虫ランプは当該運用空間の内部から外に発光するようになり、虫の走光性で虫が当該補虫面にぶつかり、当該養殖池に落ち入れるようになり、
当該霧収集装置は霧収集部件と、操作部件とを有し、当該霧収集部件は当該収納空間の他の一側内に設けられて当該第一軸と平行する第二軸と、当該第二軸に巻かれる霧収集網とを有し、当該霧収集網はさらに当該第二軸と連接する網の固定端と、当該運用空間の他の一側に垂設される網の自由端とを有し、当該操作部件が当該第二軸を回転させて動かせるように当該枠の一側に設けられることで、当該網の自由端が当該運用空間の底側に移動されて当該霧収集網が展開されて水を収集するための霧収集面になることが制御できるようになることを特徴とする補虫及び湿気集めの両用養殖サポート装置。
【請求項２】
前記第一軸はさらに前記枠の一側から突出する第一凸出軸を有し、
前記第二軸はさらに当該枠の一側から突出する第二凸出軸を有し、
前記制御部件はさらに第一回転ハンドルと、第一位置決め部品と、第一位置限定ばねとを有し、当該第一回転ハンドルが当該枠の一側外に設けられ、且つ当該第一凸出軸と連動するように軸接され、当該第一位置決め部品が当該第一凸出軸の外に套設されるように当該第一回転ハンドルと当該枠との間に設けられ、且つ当該第一回転ハンドルと固設され、そして当該枠に接近する一側にはさらに位置決めのための第一ほぞを有し、当該第一位置限定ばねが当該第一凸出軸の外に套設して位置決めされ、且つ当該第一位置限定ばねの一端が当該第一回転ハンドルに圧接されて他の一端が当該第一凸出軸に圧接され、
前記操作部件は、さらに第二回転ハンドルと、第二位置決め部品と、第二位置限定ばねとを有し、当該第二回転ハンドルが当該枠一側外に設けられ、且つ当該第二凸出軸と連動するように軸接され、当該第二位置決め部品が当該第二凸出軸の外に套設されるように当該第二回転ハンドルと当該枠との間に設けられ、且つ当該第二回転ハンドルと固設され、そして当該枠に接近する一側にはさらに位置決めのための第二ほぞを有し、当該第二位置限定ばねが当該第二凸出軸の外に套設して位置決めされ、且つ当該第二位置限定ばねの一端が当該第二回転ハンドルに圧接されて他の二端が当該第二凸出軸に圧接され、
当該枠は当該第一位置決め部品及び当該第二位置決め部品の一側に対応し、且つ当該第一ほぞを位置決めするための第一ほぞ穴と、当該第二ほぞを位置決めするための第二ほぞ穴とを有することを特徴とする請求項1に記載の補虫及び湿気集めの両用養殖サポート装置。
【請求項３】
前記第一軸はさらに前記枠の一側から突出する第一凸出軸を有し、
前記第二軸はさらに当該枠の一側から突出する第二凸出軸を有し、
前記制御部件はさらに第一回転ハンドルと、主動輪の機能を兼ね備える第一位置決め部品と、第一位置限定ばねと、第一被動輪と、第一伝動部品と、第一回転軸とを有し、当該第一回転軸が当該枠外側の下に設けられ、当該第一回転ハンドルが当該第一回転軸と結合され、主動輪の機能を兼ね備える当該第一位置決め部品が当該第一回転ハンドルと当該枠との間に設けられて当該第一回転ハンドルと固接され、そして当該枠に接近する一側にはさらに位置決めのための第一ほぞを有し、当該第一位置限定ばねが当該第一回転軸の外に套設して位置決めされ、且つ当該第一位置限定ばねの一端が当該第一回転ハンドルに圧接されて他の一端が当該第一回転軸に圧接され、当該第一被動輪が当該第一凸出軸と連動するように軸接され、主動輪の機能を兼ね備える当該第一位置決め部品が当該第一伝動部品で当該第一被動輪と結合され、
前記操作部件は、さらに第二回転ハンドルと、主動輪の機能を兼ね備える第二位置決め部品と、第二位置限定ばねと、第二被動輪と、第二伝動部品と、第二回転軸とを有し、当該第二回転軸が当該枠外側の下に設けられ、当該第二回転ハンドルが当該第二回転軸と結合され、主動輪の機能を兼ね備える当該第二位置決め部品が当該第二回転ハンドルと当該枠との間に設けられて当該第二回転ハンドルと固接され、そして当該枠に接近する一側にはさらに位置決めのための第二ほぞを有し、当該第二位置限定ばねが当該第二回転軸の外に套設して位置決めされ、且つ当該第二位置限定ばねの一端が当該第二回転ハンドルに圧接されて他の一端が当該第二回転軸に圧接され、当該第二被動輪が当該第二凸出軸と連動するように軸接され、主動輪の機能を兼ね備える当該第二位置決め部品が当該第二伝動部品で当該第二被動輪と結合され、
当該枠の外側の下方は主動輪の機能を兼ね備える当該第一位置決め部品及び主動輪の機能を兼ね備える当該第二位置決め部品の一側に対応し、且つ当該第一ほぞを位置決めするための第一ほぞ穴と、当該第二ほぞを位置決めするための第二ほぞ穴とを有することを特徴とする請求項1に記載の補虫及び湿気集めの両用養殖サポート装置。
【請求項４】
前記透光性布は、さらに当該透光性布の前記布の自由端に設けられる第一釣合重りを有し、
前記霧収集網は、さらに当該霧収集網の前記網の自由端に設けられる第二釣合重りを有することを特徴とする請求項1に記載の補虫及び湿気集めの両用養殖サポート装置。
【請求項５】
前記誘虫ランプは、さらにランプと、片状懸掛体と、スイッチとを有し、当該ランプが前記運用空間内に位置され、且つ前記透光性布に相対する発光部と、当該透光性布に反面で相対する固定部とを有し、当該片状懸掛体の一端が当該固定部と連接され、当該片状懸掛体の他の一端が前記収納空間内に入れて前記枠と連接されることで、当該ランプが当該運用空間内に懸掛されるようになり、当該スイッチが第一ほぞで当該ランプの作動することを制御するために、当該収納空間内に設けられて当該枠内に位置決めされ、
当該枠の当該スイッチに対応する位置に、さらに当該第一ほぞが当該スイッチを作動するように挿通されること及び当該第一ほぞを位置決めすることのための孔が穿設されることを特徴とする請求項1に記載の補虫及び湿気集めの両用養殖サポート装置。
【請求項６】
前記透光性布は軟質で透光性を有する布であり、前記霧収集網は細目編みのナイロン網であることを特徴とする請求項1に記載の補虫及び湿気集めの両用養殖サポート装置。
【請求項７】
前記枠は、さらにケースと、数個の支柱とを有し、当該ケースの内部にさらに前記収納空間が形成され、各当該支柱の一端が当該ケースの各隅に対応して設けられることにより、前記運用空間が形成され、当該支柱の他の一端が前記養殖池と連接されることにより、当該枠が当該養殖池の上方に架設されるようになり、
当該支柱にさらにガイド溝が凹設され、当該ガイド溝が、
前記透光性布と第一釣合重りとの組合、前記霧収集網と第二釣合重りとの組合のいずれか一つと配合して使われることを特徴とする請求項1に記載の補虫及び湿気集めの両用養殖サポート装置。
【請求項８】
前記第一軸に、さらに前記透光性布の前記布の固定端を固定して位置決めするための第一階段状面が凹設され、
前記第二軸に、さらに前記霧収集網の前記網の固定端を固定して位置決めするための第二階段状面が凹設されることを特徴とする請求項1に記載の補虫及び湿気集めの両用養殖サポート装置。
【請求項９】
前記枠は、さらに各前記支柱の底端と連接する基台を有することを特徴とする請求項7に記載の補虫及び湿気集めの両用養殖サポート装置。
【考案の詳細な説明】
【技術分野】
【０００１】
本考案は、補虫及び湿気集めの両用養殖サポート装置を関し、特に虫を捕らえる及び水気を収集することができる養殖サポート装置に関するものである。
【背景技術】
【０００２】
社会の発展により、世界中の人口が急増していることと共に、糧食の需要量も上昇し、人々は食糧の産量を増加するために、既に多くの土地や資源が消耗され、環境への破壊まで至り、糧食不足という問題解決し、且つ食品安全及び純粋な環境を探し戻すための人が多くなり、こんな需要により、有機グリーン農業が派生され、世界中に普及になり、化学肥料及び農薬を依頼する現在の農業から、生態系の機制を依頼する生態系農業に転換するように促進する。
【０００３】
生態系農業というのは、生態系の理論を基本として、ある範囲内に建立する農業のシステムであり、伝統農業及び石油の農業と違い、同時に両方のメリットを有し、生産のシステムの構成を合理的に配置することで、生産率が高まる同時に、生態系の発展を保障するようになり、生態系の維持、自然資源の永続的な利用及び範囲内の物質とエネルギーとのバランスを維持することを注意する生態系農業は、永続的に発展でき、高効率で安定的な農業生産システムに達する。
【０００４】
グリーン農業の理念は、経済、社会及び生態系の協調を強調し、安全で優秀な農産品を生産し、合理的な生態系及び高効率的な経済を有する現代的な農業形態を建立することであり、人類の生命力、自然の生命力及び経済の生命力の発展を維持する同時に、農業を経済、生態、社会、三方面の効果と利益が同時に発展する良性的な循環になる。
【０００５】
現在の生態系農業について、魚、ミミズ及び野菜で形成する食物連鎖を応用する共生養殖システムがあり、その中に、ミミズが魚のエサとして使われる以外に、ミミズの体液が野菜を栽培するための有機肥料として使われるようになり、魚、ミミズ及び野菜で食物連鎖のような共生関係が形成されたが、魚の養殖はただミミズでエサにするなら、満足しにくいという問題があり、生態系の循環に悪い影響が容易に発生するようになり、また生態循環の要素に合うため、普通のエサが使用できない。
【０００６】
一方、共生養殖システムに、水が不可欠な要素であり、充分な水があるなら、魚、ミミズ及び野菜が順調に栽培したり養殖したりすることができ、しかし世界中の自然環境システムが経済の発展のためにかき乱され、様々な気候変化が発生され、水資源に影響があるので、水が不足になる。
【考案の概要】
【考案が解決しようとする課題】
【０００７】
そこで、上述した問題を解決し、生態系の循環に合い、共生養殖システムは高効率で安定で発展し続けることができる補虫及び湿気集めの両用養殖サポート装置を提供することは本考案の課題になる。
【課題を解決するための手段】
【０００８】
本考案は水産養殖と配合して使用し、天然エサの提供及び水の補充の機能を有する補虫及び湿気集めの両用養殖サポート装置を提供することを目的とする。
【０００９】
前記問題点を解決でき、上記目的を達成するために、本考案の補虫及び湿気集めの両用養殖サポート装置は、養殖池に応用されることができる養殖サポート装置であり、当該養殖サポート装置は枠と、誘虫装置と、霧収集装置とを有し、当該枠が縦方向に当該養殖池の上に架設され、且つ上から下までに収納空間及び運用空間が形成され、当該誘虫装置は誘虫部件と、制御部件と、誘虫ランプとを有し、当該誘虫部件は当該収納空間の一側内に設けられる第一軸と、当該第一軸に巻かれる透光性布とを有し、当該透光性布はさらに当該第一軸と連接する布の固定端と、当該運用空間の一側に垂設される布の自由端とを有し、当該制御部件が当該第一軸を回転させて動かせるように当該枠の一側に設けられることで、当該布の自由端が当該運用空間の底側に移動されて当該透光性布が展開されて補虫面になることが制御できるようになり、そして当該誘虫ランプが当該運用空間内に懸掛され、当該誘虫ランプの一端が当該枠と連接されることで、当該透光性布が展開された場合に当該誘虫ランプは当該運用空間の内部から外に発光するようになり、走光性で虫が当該補虫面にぶつかり、当該養殖池に落ち入れるようになり、当該霧収集装置は霧収集部件と、操作部件とを有し、当該霧収集部件は当該収納空間の他の一側内に設けられて当該第一軸と平行する第二軸と、当該第二軸に巻かれる霧収集網とを有し、当該霧収集網はさらに当該第二軸と連接する網の固定端と、当該運用空間の他の一側に垂設される網の自由端とを有し、当該操作部件が当該第二軸を回転させて動かせるように当該枠の一側に設けられることで、当該網の自由端が当該運用空間の底側に移動されて当該霧収集網が展開されて水を収集するための霧収集面になる。
【００１０】
前記第一軸はさらに前記枠の一側から突出する第一凸出軸を有し、前記第二軸はさらに当該枠の一側から突出する第二凸出軸を有し、前記制御部件はさらに第一回転ハンドルと、第一位置決め部品と、第一位置限定ばねとを有し、当該第一回転ハンドルが当該枠の一側外に設けられ、且つ当該第一凸出軸と連動するように軸接され、当該第一位置決め部品が当該第一凸出軸の外に套設されるように当該第一回転ハンドルと当該枠との間に設けられ、且つ当該第一回転ハンドルと固設され、そして当該枠に接近する一側にはさらに位置決めのための第一ほぞを有し、当該第一位置限定ばねが当該第一凸出軸の外に套設して位置決めされ、且つ当該第一位置限定ばねの一端が当該第一回転ハンドルに圧接されて他の一端が当該第一凸出軸に圧接され、前記操作部件は、さらに第二回転ハンドルと、第二位置決め部品と、第二位置限定ばねとを有し、当該第二回転ハンドルが当該枠一側外に設けられ、且つ当該第二凸出軸と連動するように軸接され、当該第二位置決め部品が当該第二凸出軸の外に套設されるように当該第二回転ハンドルと当該枠との間に設けられ、且つ当該第二回転ハンドルと固設され、そして当該枠に接近する一側にはさらに位置決めのための第二ほぞを有し、当該第二位置限定ばねが当該第二凸出軸の外に套設して位置決めされ、且つ当該第二位置限定ばねの一端が当該第二回転ハンドルに圧接されて他の二端が当該第二凸出軸に圧接され、当該枠は当該第一位置決め部品及び当該第二位置決め部品の一側に対応し、且つ当該第一ほぞを位置決めするための第一ほぞ穴と、当該第二ほぞを位置決めするための第二ほぞ穴とを有することが好ましい。
【００１１】
前記第一軸はさらに前記枠の一側から突出する第一凸出軸を有し、前記第二軸はさらに当該枠の一側から突出する第二凸出軸を有し、前記制御部件はさらに第一回転ハンドルと、主動輪の機能を兼ね備える第一位置決め部品と、第一位置限定ばねと、第一被動輪と、第一伝動部品と、第一回転軸とを有し、当該第一回転軸が当該枠外側の下に設けられ、当該第一回転ハンドルが当該第一回転軸と結合され、主動輪の機能を兼ね備える当該第一位置決め部品が当該第一回転ハンドルと当該枠との間に設けられて当該第一回転ハンドルと固接され、そして当該枠に接近する一側にはさらに位置決めのための第一ほぞを有し、当該第一位置限定ばねが当該第一回転軸の外に套設して位置決めされ、且つ当該第一位置限定ばねの一端が当該第一回転ハンドルに圧接されて他の一端が当該第一回転軸に圧接され、当該第一被動輪が当該第一凸出軸と連動するように軸接され、主動輪の機能を兼ね備える当該第一位置決め部品が当該第一伝動部品で当該第一被動輪と結合され、前記操作部件は、さらに第二回転ハンドルと、主動輪の機能を兼ね備える第二位置決め部品と、第二位置限定ばねと、第二被動輪と、第二伝動部品と、第二回転軸とを有し、当該第二回転軸が当該枠外側の下に設けられ、当該第二回転ハンドルが当該第二回転軸と結合され、主動輪の機能を兼ね備える当該第二位置決め部品が当該第二回転ハンドルと当該枠との間に設けられて当該第二回転ハンドルと固接され、そして当該枠に接近する一側にはさらに位置決めのための第二ほぞを有し、当該第二位置限定ばねが当該第二回転軸の外に套設して位置決めされ、且つ当該第二位置限定ばねの一端が当該第二回転ハンドルに圧接されて他の一端が当該第二回転軸に圧接され、当該第二被動輪が当該第二凸出軸と連動するように軸接され、主動輪の機能を兼ね備える当該第二位置決め部品が当該第二伝動部品で当該第二被動輪と結合され、当該枠の外側の下方は主動輪の機能を兼ね備える当該第一位置決め部品及び主動輪の機能を兼ね備える当該第二位置決め部品の一側に対応し、且つ当該第一ほぞを位置決めするための第一ほぞ穴と、当該第二ほぞを位置決めするための第二ほぞ穴とを有することが好ましい。
【００１２】
前記透光性布は、さらに当該透光性布の前記布の自由端に設けられる第一釣合重りを有し、前記霧収集網は、さらに当該霧収集網の前記網の自由端に設けられる第二釣合重りを有することが好ましい。
【００１３】
前記誘虫ランプは、さらにランプと、片状懸掛体と、スイッチとを有し、当該ランプが前記運用空間内に位置され、且つ前記透光性布に相対する発光部と、当該透光性布に反面で相対する固定部とを有し、当該片状懸掛体の一端が当該固定部と連接され、当該片状懸掛体の他の一端が前記収納空間内に入れて前記枠と連接されることで、当該ランプが当該運用空間内に懸掛されるようになり、当該スイッチが第一ほぞで当該ランプの作動することを制御するために、当該収納空間内に設けられて当該枠内に位置決めされ、当該枠の当該スイッチに対応する位置に、さらに当該第一ほぞが当該スイッチを作動するように挿通されること及び当該第一ほぞを位置決めすることのための孔が穿設されることが好ましい。
【００１４】
前記透光性布は軟質で透光性を有する布であり、前記霧収集網は細目編みのナイロン網であることが好ましい。
【００１５】
前記枠は、さらにケースと、数個の支柱とを有し、当該ケースの内部にさらに前記収納空間が形成され、各当該支柱の一端が当該ケースの各隅に対応して設けられることにより、前記運用空間が形成され、当該支柱の他の一端が前記養殖池と連接されることにより、当該枠が当該養殖池の上方に架設されるようになり、当該支柱にさらにガイド溝が凹設され、当該ガイド溝が、前記透光性布と第一釣合重りとの組合、前記霧収集網と第二釣合重りとの組合のいずれか一つと配合して使われることが好ましい。
【００１６】
前記第一軸に、さらに前記透光性布の前記布の固定端を固定して位置決めするための第一階段状面が凹設され、前記第二軸に、さらに前記霧収集網の前記網の固定端を固定して位置決めするための第二階段状面が凹設されることが好ましい。
【００１７】
前記枠は、さらに各前記支柱の底端と連接する基台を有することが好ましい。
【考案の効果】
【００１８】
本考案は、従来の技術と比べて、次に列挙する効果がある。
【００１９】
1. 枠、誘虫装置及び霧収集装置によって養殖サポート装置が構成され、魚群は誘虫装置で引き付けられて水中に落ちた大量の虫を捕食するようになり、魚に大量な蛋白質を有するエサを供給でき、エサの供給源が開拓され、魚の養殖コストが低くなり、魚の養殖の効率が高まり、さらに害虫を消滅することができ、自然食品を生産することができる。
【００２０】
2. 霧収集装置の使用により、本考案は水を収集する機能を有し、霧の水滴が小さいという特性を運用して防水の霧収集網で霧を収集し、微小な水滴が網に付いて水の玉になり、養殖池に流れ、エネルギーを消費せずに水を収集する効果が達成できる。
【００２１】
3. 枠により、本考案の養殖サポート装置が養殖池の上に設けられるようになり、さらに空気の流れが邪魔されなく、霧が順調に霧収集面を経って、水を収集する機能が実現でき、水の収集の効率が低いことを心配すり必要がない。
【図面の簡単な説明】
【００２２】
【図１】：本考案を示す斜視図
【図２】：本考案のもう一つの視角を示す斜視図
【図３】：図1を示す分解図
【図４】：本考案の実施状態を示す図
【図５】：本考案の実施状態の制御部件の動きを示す図
【図６】：本考案の実施状態のもう一つの視角を示す図
【図７】：本考案の実施状態の操作部件の動きを示す図
【図８】：養殖池と配合して応用する本考案の実施状態を示す斜視図
【図９】：養殖池と配合して応用する本考案の実施状態を示す断面図
【図１０】：本考案のもう一つの実施状態を示す図
【図１１】：本考案のもう一つの実施状態の制御部件を示す図
【考案を実施するための形態】
【００２３】
以下、本考案の実施の形態について、図面を参照して詳細に説明する。
【００２４】
図1乃至図3に示すように、本考案の補虫及び湿気集めの両用養殖サポート装置は、図8に示すように養殖池200に応用されることができる養殖サポート装置100であり、当該養殖サポート装置100は枠1と、誘虫装置2と、霧収集装置3とを有し、当該枠1が縦方向に当該養殖池200の上に架設され、且つ上から下までに収納空間10及び運用空間20が形成され、当該誘虫装置2は誘虫部件21と、制御部件22と、誘虫ランプ23とを有し、当該誘虫部件21は当該収納空間10の一側内に設けられる第一軸211と、当該第一軸211に巻かれる透光性布212とを有し、当該透光性布212はさらに当該第一軸211と連接する布の固定端2121と、当該運用空間20の一側に垂設される布の自由端2122とを有し、当該制御部件22が当該第一軸211を回転させて動かせるように当該枠1の一側に設けられることで、当該布の自由端2122が当該運用空間20の底側に移動されて当該透光性布212が展開されて補虫面30になることが制御できるようになり、そして当該誘虫ランプ23が当該運用空間20内に懸掛され、当該誘虫ランプ23の一端が当該枠1と連接されることで、図4及び図9に示すように、当該透光性布212が展開された場合に当該誘虫ランプ23は当該運用空間20の内部から外に発光するようになり、走光性で虫が当該補虫面30にぶつかり、当該養殖池200に落ち入れるようになり、当該霧収集装置3は霧収集部件31と、操作部件32とを有し、当該霧収集部件31は当該収納空間10の他の一側内に設けられて当該第一軸211と平行する第二軸311と、当該第二軸311に巻かれる霧収集網312とを有し、当該霧収集網312はさらに当該第二軸311と連接する網の固定端3121と、当該運用空間20の他の一側に垂設される網の自由端3122とを有し、当該操作部件32が当該第二軸311を回転させて動かせるように当該枠1の一側に設けられることで、当該網の自由端3122が当該運用空間20の底側に移動されて当該霧収集網312が展開されて水を収集するための霧収集面40になることが制御できるようになる。
【００２５】
前記枠1で本考案の前記養殖サポート装置100が安定的に前記養殖池200の上に直立して架設されるようになり、前記収納空間10で前記誘虫装置2及び前記霧収集装置3が有効に収納され、前記運用空間20で当該誘虫装置2及び当該霧収集装置3は互いに邪魔せずに作動するようになる。
【００２６】
また、前記誘虫装置2を応用することで、理想的な養殖の環境を提供することができ、魚類の走光性を利用し、夜にランプで虫を引き込み、魚類の捕食及び新陳代謝を人為的に促進することで、魚類の成長スピードが速くなり、同時に虫は豊富な蛋白質、定量の脂肪、炭水化物及びビタミンを有し、魚類のエサとしてかなり優秀であり、虫が前記養殖池200内に落ち入れたら、すぐに魚類に捕食され、エサが新鮮であるので、魚類は容易に消化でき、前記透光性布212で形成される前記補虫面30は、前記誘虫ランプ23と配合して虫を引き付け、前記養殖池200の位置の違いにより、誘虫の効果が同じではないが、エサのコストが有効に低くなり、魚の養殖の効果と利益が高まり、さらに魚の品質も良くなり、成長スピードも速くなり、本考案で養殖した魚は野生の魚に匹敵するようになり、共生養殖にも普通の養殖にも応用できる。
【００２７】
なお、前記霧収集装置3の機能は防水の前記霧収集網312で集水することであり、その原理について、霧の水滴半径が雨の水滴半径により小さく、風と共に漂うことができるという特性を利用し、霧に含む水滴を捕る当該霧収集網312を設計し、霧は当該霧収集網312で形成する前記霧収集面40を経る場合に、霧に含む細小な水滴が網に付け、水滴が集めて水の玉になり、そして当該霧収集網312の下にある前記養殖池200に流れるようになり、そして最も大事なのは、水滴の捕る過程がエネルギーを使う必要がなく、環境にやさしい。
【００２８】
さらに、前記誘虫装置2及び前記霧収集装置3は完璧な組合であり、前記誘虫ランプ23で発生される熱で、前記運用空間20内にある空気が外に流れ出し、外の空気もその中に入れ、この場合に霧も一緒に動き、前記霧収集面40を経って、集水の効率が高まる。
【００２９】
一方、本考案の前記養殖サポート装置100の誘虫方法は前記透光性布212と前記誘虫ランプ23との配合で虫を引き付けることであり、電撃で虫を収集する形ではないので、魚類の捕食することを促進できる以外に、漏電などのことを心配する必要がなく、使う場合にも便利、省エネ、安全というメリットがある。
【００３０】
図3、図5及び図7に示すように、前記第一軸211はさらに前記枠1の一側から突出する第一凸出軸2111を有し、前記第二軸311はさらに当該枠1の一側から突出する第二凸出軸3111を有し、前記制御部件22はさらに第一回転ハンドル221と、第一位置決め部品222と、第一位置限定ばね223とを有し、当該第一回転ハンドル221が当該枠1の一側外に設けられ、且つ当該第一凸出軸2111と連動するように軸接され、当該第一位置決め部品222が当該第一凸出軸2111の外に套設されるように当該第一回転ハンドル221と当該枠1との間に設けられ、且つ当該第一回転ハンドル221と固設され、そして当該枠1に接近する一側にはさらに位置決めのための第一ほぞ2221を有し、当該第一位置限定ばね223が当該第一凸出軸2111の外に套設して位置決めされ、且つ当該第一位置限定ばね223の一端が当該第一回転ハンドル221に圧接されて他の一端が当該第一凸出軸2111に圧接され、前記操作部件32は、さらに第二回転ハンドル321と、第二位置決め部品322と、第二位置限定ばね323とを有し、当該第二回転ハンドル321が当該枠1一側外に設けられ、且つ当該第二凸出軸3111と連動するように軸接され、当該第二位置決め部品322が当該第二凸出軸3111の外に套設されるように当該第二回転ハンドル321と当該枠1との間に設けられ、且つ当該第二回転ハンドル321と固設され、そして当該枠1に接近する一側にはさらに位置決めのための第二ほぞ3221を有し、当該第二位置限定ばね323が当該第二凸出軸3111の外に套設して位置決めされ、且つ当該第二位置限定ばね323の一端が当該第二回転ハンドル321に圧接されて他の二端が当該第二凸出軸3111に圧接され、当該枠1は当該第一位置決め部品222及び当該第二位置決め部品322の一側に対応し、且つ当該第一ほぞ2221を位置決めするための第一ほぞ穴11と、当該第二ほぞ3221を位置決めするための第二ほぞ穴12とを有する。
【００３１】
前記制御部件22の前記第一回転ハンドル221、前記第一位置決め部品222及び前記第一位置限定ばね223を応用することで、図5に示すように、当該第一位置限定ばね223の回復力を超えるまでに、外向きに当該第一回転ハンドル221が引き出されると、当該第一位置決め部品222が動かされることで、前記第一ほぞ2221が前記枠1から離れる場合に、前記透光性布212が展開されるようになり、そして、当該透光性布212が展開された後、当該第一回転ハンドル221を放すと、当該第一位置決め部品222の当該第一ほぞ2221が当該枠1に位置決めされることで、当該透光性布212が固定されるようになり、そして当該透光性布212を回収すること(図面に示さない)は、上述した手順を逆順ですればいい。
【００３２】
前記操作部件32の前記第二回転ハンドル321、前記第二位置決め部品322及び前記第二位置限定ばね323を応用することで、図7に示すように、当該第二位置限定ばね323の回復力を超えるまでに、外向きに当該第二回転ハンドル321が引き出されると、当該第二位置決め部品322が動かされることで、前記第二ほぞ3221が前記枠1から離れる場合に、前記霧収集網312が展開されるようになり、そして、当該霧収集網312が展開された後、当該第二回転ハンドル321を放すと、当該第二位置決め部品322の当該第二ほぞ3221が当該枠1に位置決めされることで、当該透光性布312が固定されるようになり、そして当該霧収集網312を回収すること(図面に示さない)は、上述した手順を逆順ですればいい。
【００３３】
前記第一ほぞ穴11及び前記第二ほぞ穴12を応用することで、それぞれに対応する前記第一ほぞ2221及び前記第二ほぞ3221が順調に位置決めされるようになり、使いにくいという問題がなく、消費者たちは容易に使うようになり、且つ確実に位置決めすることができる。
【００３４】
図1及び図3に示すように、前記透光性布212は、さらに当該透光性布212の前記布の自由端2122に設けられる第一釣合重り2123を有し、前記霧収集網312は、さらに当該霧収集網312の前記網の自由端3122に設けられる第二釣合重り3123を有する。
【００３５】
前記第一釣合重り2123を応用することで、前記透光性布212が素早くて下に展開されるようになり、展開しにくいや設置する時間が長いという問題がなく、消費者は容易に使うようになる。
【００３６】
前記透光性布212と比べ、前記霧収集網312を展開することが容易ではないが、前記第二釣合重り3123と配合して使われたら、当該霧収集網312も素早くて下に展開されるようになり、展開しにくいという問題がなく、順調に応用できる。
【００３７】
図1乃至図3に示すように、前記誘虫ランプ23は、さらにランプ231と、片状懸掛体232と、スイッチ233とを有し、当該ランプ231が前記運用空間20内に位置され、且つ前記透光性布212に相対する発光部2311と、当該透光性布212に反面で相対する固定部2312とを有し、当該片状懸掛体232の一端が当該固定部2312と連接され、当該片状懸掛体232の他の一端が前記収納空間10内に入れて前記枠1と連接されることで、当該ランプ231が当該運用空間20内に懸掛されるようになり、当該スイッチ233が第一ほぞ2221で当該ランプ231の作動することを制御するために、当該収納空間10内に設けられて当該枠1内に位置決めされ、当該枠1の当該スイッチ233に対応する位置に、さらに当該第一ほぞ2221を当該スイッチ233を作動するように挿通されること及び当該第一ほぞ2221を位置決めすることのための孔13が穿設される。
【００３８】
前記ランプ231を応用することで、十分な光源を供給することで、虫を引き付けるようになり、さらに夜に養殖場の安全性を保障することができる。
【００３９】
前記片状懸掛体232を応用することで、前記ランプ231が位置決められ、前記運用空間20内に安定に懸掛され、且つ容易に設置及び維持されるようになる。
【００４０】
前記スイッチ233が前記枠1内に設けられる設計により、前記ランプ231が意外に起動される状況を心配する必要がなく、さらに水気で故障に至ることも免じ、当該スイッチ233の使用年限も延長でき、漏電の可能性も低くなる。
【００４１】
図3に示すように、前記透光性布212は軟質で透光性を有する布であり、前記霧収集網312は細目編みのナイロン網である。
【００４２】
軟質で透光性を有する布が前記透光性布212として使われることについて、破損しにくい以外に、虫が当該透光性布212に留まることが難くなり、且つ発見しにくいことで、誘虫の効果が良くなる。
【００４３】
細目編みのナイロン網が前記霧収集網312として使われることについて、破損しにくい以外に、防水の材質であるので、水を収集することがより効率的になる。
【００４４】
図1、図2、図3、図8及び図9に示すように、前記枠1は、さらにケース14と、数個の支柱15とを有し、当該ケース14の内部にさらに前記収納空間10が形成され、各当該支柱15の一端が当該ケース14の各隅に対応して設けられることにより、前記運用空間20が形成され、当該支柱15の他の一端が前記養殖池200と連接されることにより、当該枠1が当該養殖池200の上方に架設されるようになり、当該支柱15にさらにガイド溝151が凹設され、当該ガイド溝151が、前記透光性布212と第一釣合重り2123との組合、前記霧収集網312と第二釣合重り3123との組合のいずれか一つと配合して使われる。
【００４５】
前記ケース14で形成される前記収納空間10で、前記誘虫装置2及び前記霧収集装置3が有効に収納されるようになり、各前記支柱15と当該ケース14との配合で、前記運用空間20が形成され、当該誘虫装置2及び当該霧収集装置3が互いに邪魔せず、順調にそれぞれの機能が作動できる。
【００４６】
前記支柱15と前記ケース14との配合で、前記運用空間20が形成されることができる以外に、さらに開放的な通風空間が形成されることで、霧が空気の流れで前記霧収集網312で形成される前記霧収集面40を経ることにより、順調に水を収集するようになる。
【００４７】
前記ガイド溝151を応用することで、前記透光性布212及び前記霧収集網312がそれぞれに対応する前記第一釣合重り2123及び前記第二釣合重り3123で引き動かされる場合に、しわにならなく、当該透光性布212及当該霧収集網312で展開しにくいことも発生しないようになる。
【００４８】
前記ガイド溝151を応用することで、さらに前記透光性布212及び前記霧収集網312が収納される場合に、しわにならなく、素早くて収納するようになる。
【００４９】
図3及び図9に示すように、前記第一軸211に、さらに前記透光性布212の前記布の固定端2121を固定して位置決めするための第一階段状面2112が凹設され、前記第二軸311に、さらに前記霧収集網312の前記網の固定端3121を固定して位置決めするための第二階段状面3112が凹設される。
【００５０】
前記第一階段状面2112を応用することで、前記透光性布212が素早くて位置決めされるようになり、前記布の固定端2121が前記第一軸211から引き外されることが発生しなく、また、前記第二階段状面3112を応用することで、前記霧収集網312が素早くて位置決めされるようになり、前記網の固定端3121が前記第二軸311から引き外されることが発生しない。
【００５１】
図1及び図2に示すように、前記枠1は、さらに各前記支柱15の底端と連接する基台16を有する。
【００５２】
前記基台16を応用することで、前記枠1が安定に前記養殖池200の上に位置決めされるようになり、容易に揺れることがなく、さらに容易に設置したり運送したりするようになる。
【００５３】
図4、図5、図8及び図9に示す補虫及び湿気集めの両用養殖サポート装置について、図面に示すように、前記制御部件22の前記第一回転ハンドル221を前記第一位置限定ばね223の回復力を超えるまでに外向きに引き出すと、当該第一位置決め部品222が動かされ、前記第一ほぞ2221が前記第一ほぞ穴11から離れる場合に、前記透光性布212が前記第一釣合重り2123で下向きに展開されるようになり、当該第一回転ハンドル221によって使用者は当該透光性布212の展開スピードを制御でき、そして、当該透光性布212が展開された後、当該第一回転ハンドル221を放すと、当該第一ほぞ2221が前記孔13に差し込まれることで、前記スイッチ233が連動され、前記誘虫ランプ23の、前記ランプ231の前記発光部2311が前記運用空間20内から外に発光し、誘虫の機能が発揮され、虫の走光性で虫が前記補虫面30にぶつかり、前記養殖池200に落ち入れるようになり、そして当該透光性布212を回収すること(図面に示さない)は、上述した手順を逆順ですればいい。
【００５４】
図6、図7、図8及び図9に示す補虫及び湿気集めの両用養殖サポート装置について、図面に示すように、前記操作部件32の前記第二回転ハンドル321を前記第二位置限定ばね323の回復力を超えるまでに外向きに引き出すと、当該第二位置決め部品322が動かされ、前記第二ほぞ3221が前記第二ほぞ穴12から離れる場合に、前記霧収集網312が前記第二釣合重り3123で下向きに展開されるようになり、当該第二回転ハンドル321によって使用者は当該霧収集網312の展開スピードを制御でき、そして、当該霧収集網312が展開された後、当該第二回転ハンドル321を放すと、当該第二ほぞ3221が前記第二ほぞ穴12に差し込まれることで、当該霧収集網312が位置決めされ、当該霧収集網312で形成される前記霧収集面40で霧に含む細小な水滴が当該霧収集網312に付け、水滴が集めて水の玉になり、当該霧収集網312の下にある前記養殖池200に流れるようになり、そして当該霧収集網312を回収すること(図面に示さない)は、上述した手順を逆順ですればいい。
【００５５】
図10に示すように、本図面と図6との違いについて、前記霧収集網312の下の部分は一端から他の一端に傾斜し、つまり、当該霧収集網312の下にある前記第一釣合重り3123が角度のθで、一端が高くてもう一端が低い状態で設けられ、こうして、当該霧収集網312に収集された水が下向きに流れ、当該霧収集網312の下に設けられる前記収集槽300で水を収集するようになる。
【００５６】
図11に示すのは、本考案の他の実施例であり、前記第一軸211はさらに前記枠1の一側から突出する第一凸出軸2111を有し、前記第二軸311はさらに当該枠1の一側から突出する第二凸出軸3111を有し、前記制御部件22はさらに第一回転ハンドル221と、主動輪の機能を兼ね備える第一位置決め部品222と、第一位置限定ばね223と、第一被動輪224と、第一伝動部品225と、第一回転軸226とを有し、当該第一回転軸226が当該枠1外側の下に設けられ、当該第一回転ハンドル221が当該第一回転軸226と結合され、主動輪の機能を兼ね備える当該第一位置決め部品222が当該第一回転ハンドル221と当該枠1との間に設けられて当該第一回転ハンドル221と固接され、そして当該枠1に接近する一側にはさらに位置決めのための第一ほぞ2221を有し、当該第一位置限定ばね223が当該第一回転軸226の外に套設して位置決めされ、且つ当該第一位置限定ばね223の一端が当該第一回転ハンドル221に圧接されて他の一端が当該第一回転軸226に圧接され、当該第一被動輪224が当該第一凸出軸2111と連動するように軸接され、主動輪の機能を兼ね備える当該第一位置決め部品222が当該第一伝動部品225で当該第一被動輪224と結合され、前記操作部件32は、さらに第二回転ハンドル321と、主動輪の機能を兼ね備える第二位置決め部品322と、第二位置限定ばね323と、第二被動輪324と、第二伝動部品325と、第二回転軸326とを有し、当該第二回転軸326が当該枠1外側の下に設けられ、当該第二回転ハンドル321が当該第二回転軸326と結合され、主動輪の機能を兼ね備える当該第二位置決め部品322が当該第二回転ハンドル321と当該枠1との間に設けられて当該第二回転ハンドル321と固接され、そして当該枠1に接近する一側にはさらに位置決めのための第二ほぞ3221を有し、当該第二位置限定ばね323が当該第二回転軸326の外に套設して位置決めされ、且つ当該第二位置限定ばね323の一端が当該第二回転ハンドル321に圧接されて他の一端が当該第二回転軸326に圧接され、当該第二被動輪324が当該第二凸出軸3111と連動するように軸接され、主動輪の機能を兼ね備える当該第二位置決め部品322が当該第二伝動部品325で当該第二被動輪324と結合され、当該枠1の外側の下方は主動輪の機能を兼ね備える当該第一位置決め部品222及び主動輪の機能を兼ね備える当該第二位置決め部品322の一側に対応し、且つ当該第一ほぞ2221を位置決めするための第一ほぞ穴11と、当該第二ほぞ3221を位置決めするための第二ほぞ穴12とを有する。
【００５７】
主動輪の機能を兼ね備える当該第一位置決め部品222及び主動輪の機能を兼ね備える当該第二位置決め部品322がベルトローラ、チェーンローラ、リタードローラ、プーリなどのいずれか一つであり、前記第一被動輪224及び前記第二被動輪324がベルトローラ、チェーンローラ、リタードローラ、プーリなどのいずれか一つであり、前記第一伝動部品225及び前記第二伝動部品325がベルト、チェーン、クサリ、麻縄などのいずれか一つである。
【００５８】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００５９】
1     枠                         2312  固定部
11    第一ほぞ穴                 232   片状懸掛体
12    第二ほぞ穴                 233   スイッチ
13    孔                         3     霧収集装置
14    ケース                     31    霧収集部件
15    支柱                       311   第二軸
151   ガイド溝                   3111  第二凸出軸
16    基台                       3112  第二階段状面
2     誘虫装置                   312   霧収集網
21    誘虫部件                   3121  網の固定端
211   第一軸                     3122  網の自由端
2111  第一凸出軸                 3123  第二釣合重り
2112  第一階段状面               32    操作部件
212   透光性布                   321   第二回転ハンドル
2121  布の固定端                 322   第二位置決め部品
2122  布の自由端                 3221  第二ほぞ
2123  第一釣合重り               323   第二位置限定ばね
22    制御部件                   324   第二被動輪
221   第一回転ハンドル           325   第二伝動部品
222   第一位置決め部品           326   第二回転軸
2221  第一ほぞ                   10    収納空間
223   第一位置限定ばね           20    運用空間
224   第一被動輪                 30    補虫面
225   第一伝動部品               40    霧収集面
226   第一回転軸                 100   養殖サポート装置
23    誘虫ランプ                 200   養殖池
231   ランプ                     300   収集槽
2311  発光部
【図１】
0003209544.tif 000003
【図２】
0003209544.tif 000004
【図３】
0003209544.tif 000005
【図４】
0003209544.tif 000006
【図５】
0003209544.tif 000007
【図６】
0003209544.tif 000008
【図７】
0003209544.tif 000009
【図８】
0003209544.tif 000010
【図９】
0003209544.tif 000011
【図１０】
0003209544.tif 000012
【図１１】
0003209544.tif 000013